(57)【要約】【課題】  構成の小型化及び単純化、更には部品点数の削減や製造工数の低減によるコストダウンを図るとともに、交換レンズを着脱する際における容易かつ良好な着脱操作性を確保する。また、交換レンズに対する高い支持強度を確保し、耐久性の向上、更には故障等のトラブル低減による信頼性向上を図る。【解決手段】  光学機器本体Ｐに対して交換レンズＬを着脱する着脱機構２を備える交換レンズ着脱装置であって、光学機器本体Ｐに挿入した挿入位置Ｘｉの交換レンズＬを第一操作部４の操作により所定の装着位置Ｘｓまで回動変位させ、かつ装着位置Ｘｓの交換レンズＬを第一操作部４の操作により挿入位置Ｘｉまで回動変位させる着脱支援機構３と、交換レンズＬを装着位置Ｘｓまで回動変位させた際に装着位置Ｘｓに自動でロックし、かつ第二操作部６の押し操作によりロックを解除するロック機構５とを備える。【選択図】  図１
2010078776.tif 000002
【特許請求の範囲】
【請求項１】
光学機器本体に対して交換レンズを着脱する着脱機構を備える光学機器の交換レンズ着脱装置において、前記光学機器本体に挿入した挿入位置の交換レンズを第一操作部の操作により所定の装着位置まで回動変位させ、かつ前記装着位置の交換レンズを前記第一操作部の操作により前記挿入位置まで回動変位させる着脱支援機構と、前記交換レンズを前記装着位置まで回動変位させた際に前記装着位置に自動でロックし、かつ第二操作部の押し操作により前記ロックを解除するロック機構とを具備してなることを特徴とする光学機器の交換レンズ着脱装置。
【請求項２】
前記着脱機構は、前記光学機器本体に設けたマウント部及び前記交換レンズに設けた係止部からなり、前記マウント部は、前記交換レンズが挿入する内側挿入口を有するベース部と、前記交換レンズが挿入する外側挿入口を有し、かつ当該外側挿入口の周縁部に複数の固定側切欠部を所定間隔で設けた固定リング部と、前記交換レンズが挿入する中側挿入口を有し、かつ前記ベース部と前記固定リング部間に設けた所定の隙間に回動可能に収容するとともに、前記中側挿入口の周縁部であって前記固定側切欠部に対応する位置に複数の可動側切欠部を設けた回動リング部とを備え、他方、前記係止部は、前記交換レンズの外周面に設けることにより、前記交換レンズを前記マウント部側に挿入した際に、前記固定側切欠部を通して前記可動側切欠部に係合可能な複数の係止爪片部を備えることを特徴とする請求項１記載の光学機器の交換レンズ着脱装置。
【請求項３】
前記第一操作部は、前記回動リング部に一体に設けた操作レバー部であることを特徴とする請求項２記載の光学機器の交換レンズ着脱装置。
【請求項４】
前記第一操作部の操作範囲を、前記固定側切欠部と前記可動側切欠部の位置を一致させる挿入位置と、前記固定側切欠部と前記可動側切欠部の位置を不一致にさせる装着位置間に規制する操作範囲規制部を備えることを特徴とする請求項１，２又は３記載の光学機器の交換レンズ着脱装置。
【請求項５】
前記ロック機構は、前記ベース部側に設けた係止凹部と、前記回動リング部側に設け、かつ付勢部材により付勢された係止凸部を備え、前記装着位置で前記係止凹部と前記係止凸部が係止可能に構成することを特徴とする請求項１〜４のいずれかに記載の光学機器の交換レンズ着脱装置。
【請求項６】
前記第二操作部は、前記回動リング部側に設けた係止凸部を変位させることにより前記ベース部側に設けた係止凹部に対する係止を解除する操作ボタン部であることを特徴とする請求項５記載の光学機器の交換レンズ着脱装置。
【請求項７】
前記第二操作部は、片手により前記第一操作部と同時操作可能な位置に配することを特徴とする請求項１〜６のいずれかに記載の光学機器の交換レンズ着脱装置。
【請求項８】
前記光学機器本体は、プロジェクタ本体であることを特徴とする請求項１〜７のいずれかに記載の光学機器の交換レンズ着脱装置。
【発明の詳細な説明】
【技術分野】
【０００１】
本発明は、光学機器本体に対して交換レンズを着脱する着脱機構を備える光学機器の交換レンズ着脱装置に関する。
【背景技術】
【０００２】
一般に、交換レンズを利用する小型のカメラなどでは、交換レンズを片手で容易に持つことができるため、交換レンズをカメラボディに装着する際には、カメラボディのレンズマウント部に交換レンズを挿入した後、交換レンズを回せば、交換レンズにおける複数の係止爪がレンズマウント部側にクリック的に係止するため、交換レンズの着脱は容易に行うことができる。しかし、大型の光学機器では交換レンズがかなり重くなるため、交換レンズを片手で持つだけでも大変となる。したがって、交換レンズの着脱も大変な労力を要するとともに、着脱時に交換レンズを落下させるなどの不具合も生じやすい。
【０００３】
このため、従来、重い交換レンズの容易な着脱を目的とした交換レンズ着脱装置（レンズ取付機構）も知られており、特許文献１には、レンズが内部に配置されたレンズ鏡筒の外周に装着され、筒状部、該筒状部の一端から外径方向に延出するフランジ部及び筒状部の他端から周方向で複数点在して外径方向に突出する突部を有する鏡筒装着部材と、レンズ鏡筒の取り付けられる装置本体に固定され、レンズ鏡筒と共に筒状部が当該筒状部の他端側から差し込まれる孔部、該孔部の内周面に形成された突部を差し込み可能にする溝及びフランジ部を当接させる孔部の開口端面を有するベース部材と、該ベース部材に挟まれた状態で回動可能に配置され、内周に溝と同様に突部を差し込み可能にする凹部を有するリング部材とを備え、リング部材を回動してベース部材の溝とリング部材の凹部とを周方向で重ねることで鏡筒装着部材のフランジ部が開口端面に当接するまでレンズ鏡筒を孔部に差し込み、その後リング部材を回動して凹部を溝と周方向でずらすことで突部がリング部材で係止されて鏡筒装着部材を固定することによってレンズ鏡筒を装置本体に取付けるように構成するとともに、リング部材を、溝と凹部とを周方向で重ねた位置と、溝と凹部とを周方向でずらした位置と、に位置決めするロック機構を備えたレンズ取付機構が開示されている。
【特許文献１】特開２００４−１３３３５８号公報
【発明の開示】
【発明が解決しようとする課題】
【０００４】
しかし、上述した特許文献１で開示される従来の交換レンズ着脱装置（レンズ取付機構）は、次のような問題点があった。
【０００５】
第一に、ロック機構を含むレンズ取付機構の全体の構成が複雑となり、レンズ取付機構の広い配設スペースが取られる。したがって、光学機器全体の大型化及び煩雑化、更には部品点数や製造工数の増加による無視できないコストアップを招くとともに、交換レンズを着脱する際における容易かつ良好な着脱操作性を確保しにくい。
【０００６】
第二に、大型の光学機器では、重い交換レンズが着脱するため、ロック機構を含むレンズ取付機構には、高い支持強度が要求されるが、ロック機構及びレンズ取付機構の構造が煩雑化することから、ロック機構及びレンズ取付機構の剛性や機械的強度を確保しにくく、耐久性に難があるとともに、故障等のトラブルを誘発しやすい。
【０００７】
本発明は、このような背景技術に存在する課題を解決した光学機器の交換レンズ着脱装置の提供を目的とするものである。
【課題を解決するための手段】
【０００８】
本発明にかかる光学機器の交換レンズ着脱装置１は、光学機器本体Ｐに対して交換レンズＬを着脱する着脱機構２を備える交換レンズ着脱装置を構成するに際して、光学機器本体Ｐに挿入した挿入位置Ｘｉの交換レンズＬを第一操作部４の操作により所定の装着位置Ｘｓまで回動変位させ、かつ装着位置Ｘｓの交換レンズＬを第一操作部４の操作により挿入位置Ｘｉまで回動変位させる着脱支援機構３と、交換レンズＬを装着位置Ｘｓまで回動変位させた際に装着位置Ｘｓに自動でロックし、かつ第二操作部６の押し操作によりロックを解除するロック機構５とを具備してなることを特徴とする。
【０００９】
この場合、発明の好適な態様により、着脱機構２は、光学機器本体Ｐに設けたマウント部１１及び交換レンズＬに設けた係止部１５からなり、マウント部１１は、交換レンズＬが挿入する内側挿入口１２ｉを有するベース部１２と、交換レンズＬが挿入する外側挿入口１４ｉを有し、かつ当該外側挿入口１４ｉの周縁部に複数の固定側切欠部１４ｃ…を所定間隔で設けた固定リング部１４と、交換レンズＬが挿入する中側挿入口１３ｉを有し、かつベース部１２と固定リング部１４間に設けた所定の隙間Ｓに回動可能に収容するとともに、中側挿入口１３ｉの周縁部であって固定側切欠部１４ｃ…に対応する位置に複数の可動側切欠部１３ｃ…を設けた回動リング部１３とを備え、他方、係止部１５は、交換レンズＬの外周面Ｌｆに設けることにより、交換レンズＬをマウント部１１側に挿入した際に、固定側切欠部１４ｃ…を通して可動側切欠部１３ｃ…に係合可能な複数の係止爪片部１５ｓ…を備えて構成できる。また、第一操作部４には、回動リング部１３に一体に設けた操作レバー部４ｍを用いることができる。他方、第一操作部４の操作範囲を、固定側切欠部１４ｃ…と可動側切欠部１３ｃ…の位置を一致させる挿入位置Ｘｉと、固定側切欠部１４ｃ…と可動側切欠部１３ｃ…の位置を不一致にさせる装着位置Ｘｓ間に規制する操作範囲規制部１６を設けることができる。一方、ロック機構５は、ベース部１２側に設けた係止凹部１７と、回動リング部１３側に設け、かつ付勢部材１８により付勢された係止凸部１９を備え、装着位置Ｘｓで係止凹部１７と係止凸部１９が係止可能に構成することができる。さらに、第二操作部６には、回動リング部１３側に設けた係止凸部１９を変位させることによりベース部１２側に設けた係止凹部１７に対する係止を解除する操作ボタン部６ｐを用いることができるとともに、特に、この第二操作部６は、片手により第一操作部４と同時操作可能な位置Ｘｐに配することができる。なお、光学機器本体Ｐには、プロジェクタ本体Ｐｏを適用することが望ましい。
【発明の効果】
【００１０】
このような構成を有する本発明に係る光学機器の交換レンズ着脱装置１によれば、次のような顕著な効果を奏する。
【００１１】
（１）  交換レンズＬを第一操作部４の操作により装着位置Ｘｓ又は挿入位置Ｘｉに回動変位させる着脱支援機構３と、交換レンズＬを装着位置Ｘｓまで回動変位させた際に装着位置Ｘｓに自動でロックし、かつ第二操作部６の押し操作によりロックを解除するロック機構５とを備えるため、ロック機構５を含む交換レンズ着脱装置１の全体の構成簡易化に寄与できる。したがって、占有スペースの縮小による構成の小型化及び単純化、更には部品点数の削減や製造工数の低減によるコストダウンに貢献できるとともに、交換レンズＬを着脱する際における容易かつ良好な着脱操作性を確保できる。
【００１２】
（２）  ロック機構５を含む交換レンズ着脱装置１全体の構成簡易化を図れるため、大型の光学機器に重い交換レンズＬを着脱する場合であっても、ロック機構５を含む交換レンズ着脱装置１の剛性や機械的強度を高めることができ、交換レンズＬに対する高い支持強度を確保できる。したがって、耐久性の向上、更には故障等のトラブル低減による信頼性向上に寄与できる。
【００１３】
（３）  好適な態様により、着脱機構２を、光学機器本体Ｐに設けたマウント部１１及び交換レンズＬに設けた係止部１５により構成し、マウント部１１に、ベース部１２，固定リング部１４及び回動リング部１３を設けるとともに、係止部１５に係止爪片部１５ｓ…を設ければ、本発明に係る交換レンズ着脱装置１をより望ましい形態で実施できる。
【００１４】
（４）  好適な態様により、第一操作部４に、回動リング部１３に一体に設けた操作レバー部４ｍを用いれば、操作レバー部４ｍを設ける際における実施の容易化及び機械的強度の向上、更には着脱操作性を確保する観点からより大きなパフォーマンスを得ることができる。
【００１５】
（５）  好適な態様により、第一操作部４の操作範囲を、固定側切欠部１４ｃ…と可動側切欠部１３ｃ…の位置を一致させる挿入位置Ｘｉと、固定側切欠部１４ｃ…と可動側切欠部１３ｃ…の位置を不一致にさせる装着位置Ｘｓ間に規制する操作範囲規制部１６を設ければ、第一操作部４を用いた際における更なる着脱操作性の向上及び操作の確実性向上に寄与できる。
【００１６】
（６）  好適な態様により、ロック機構５を、ベース部１２側に設けた係止凹部１７と、回動リング部１３側に設け、かつ付勢部材１８により付勢された係止凸部１９を備え、装着位置Ｘｓで係止凹部１７と係止凸部１９が係止可能に構成すれば、構成の単純化及び小型化を図ることができるとともに、機械的強度を確保する観点からより大きなパフォーマンスを得ることができる。
【００１７】
（７）  好適な態様により、第二操作部６に、回動リング部１３側に設けた係止凸部１９を変位させることによりベース部１２側に設けた係止凹部１７に対する係止を解除する操作ボタン部６ｐを用いれば、単純な押し操作により容易にロック解除を行うことができる。
【００１８】
（８）  好適な態様により、第二操作部６を、片手により第一操作部４と同時操作可能な位置Ｘｐに配すれば、片手によるワンタッチ操作が可能となり、着脱操作の更なる容易性向上に寄与できる。
【００１９】
（９）  好適な態様により、光学機器本体Ｐに、プロジェクタ本体Ｐｏを適用すれば、特に、特定の設置場所にセッティングされた大型のプロジェクタに使用する大型の交換レンズＬの着脱操作性及び操作の確実性を向上させることができる。
【発明を実施するための最良の形態】
【００２０】
次に、本発明に係る最良の実施形態を挙げ、図面に基づき詳細に説明する。
【００２１】
まず、本実施形態に係る交換レンズ着脱装置１の構成について、図１〜図１０を参照して説明する。
【００２２】
例示の交換レンズ着脱装置１は、図２に示すような大型のプロジェクタ（光学機器）に適用したものであり、このプロジェクタは、プロジェクタ本体Ｐｏ（光学機器本体Ｐ）と、このプロジェクタ本体Ｐｏに対して着脱する交換レンズＬからなる。例示のプロジェクタは業務用であり、交換レンズＬの鏡筒は外径寸法が１０〔ｃｍ〕前後から１０〔ｃｍ〕を越える大型となる。なお、プロジェクタ本体Ｐｏにおいて、Ｐｃはプロジェクタキャビネット、ＰｃｏはプロジェクタキャビネットＰｃの前面に設けた交換レンズ着脱口をそれぞれ示す。本実施形態に係る交換レンズ着脱装置１は、このプロジェクタ本体Ｐｏと交換レンズＬ間に設けられ、この交換レンズ着脱装置１は、プロジェクタ本体Ｐｏに対して交換レンズＬを着脱する着脱機構２を備えるとともに、この着脱機構２に付設する着脱支援機構３とロック機構５を備える。
【００２３】
最初に、基本構成となる着脱機構２について説明する。着脱機構２は、プロジェクタ本体Ｐｏに設けたマウント部１１を備えるとともに、交換レンズＬに設けた係止部１５を備える。また、マウント部１１は、更に、ベース部１２，固定リング部１４及び回動リング部１３を備える。
【００２４】
ベース部１２は、図５に示すように、全体が矩形となるプレート状に形成し、面内の中央には、交換レンズＬの鏡筒が挿入する円形の挿入口（内側挿入口）１２ｉを設ける。また、ベース部１２の前面１２ｆ（投光側を前方）には、図１の抽出拡大図に示すように、内側挿入口１２ｉの周縁部に沿ったリング形の段差面部１２ｅを薄肉形成する。この段差面部１２ｅは、後述する回動リング部１３を収容する所定の隙間Ｓとなる。さらに、内側挿入口１２ｉの周縁部には、略台形状をなす四つのベース側切欠部１２ｃ…を周方向へ９０〔゜〕間隔毎に形成する。なお、このベース部１２は、図１に仮想線で示す第二ベース部５１により横方向へ変位自在に支持されるとともに、第二ベース部５１は、仮想線で示すシャーシ部５２により縦方向に変位自在に支持され、不図示の駆動機構部などと共にレンズシフト機構５０を構成する。
【００２５】
固定リング部１４は、図５に示すように、全体がリング形（ドーナツ形）となるプレート状により形成する。これにより、内側は交換レンズＬの鏡筒が挿入する円形の挿入口（外側挿入口）１４ｉとなり、この外側挿入口１４ｉの周縁部には、略台形状をなす四つの固定側切欠部１４ｃ…を周方向へ９０〔゜〕間隔毎に形成する。この場合、外側挿入口１４ｉの内径は、上述した内側挿入口１２ｉの内径に一致するとともに、各固定側切欠部１４ｃ…の形状及び位置も、内側挿入口１２ｉの周縁部に形成したベース側切欠部１２ｃ…に一致する。また、固定リング部１４の外周縁１４ｏには、放射方向に突出した複数の取付面部２３…を一体形成する。各取付面部２３…は、面内のネジ挿通孔に通した固定ネジ２４…によりベース部１２側に固定される。
【００２６】
回動リング部１３は、図１及び図５に示すように、全体がリング形（ドーナツ形）となるプレート状に形成する。これにより、内側は交換レンズＬの鏡筒が挿入する円形の挿入口（中側挿入口）１３ｉとなり、この中側挿入口１３ｉの周縁部には、略台形状をなす四つの可動側切欠部１３ｃ…を周方向へ９０〔゜〕間隔毎に形成する。この場合、中側挿入口１３ｉの内径は、上述した外側挿入口１４ｉの内径に一致するとともに、各可動側切欠部１３ｃ…の形状及び相対位置も、外側挿入口１４ｉの周縁部に形成した固定側切欠部１４ｃ…に一致する。この回動リング部１３は、ベース部１２の前面１２ｆに形成した隙間Ｓ（段差面部１２ｅ）に収容する。したがって、回動リング部１３は、固定リング部１４とベース部１２間に介在することにより周方向に回動可能となり、可動側切欠部１３ｃ…は固定側切欠部１４ｃ…に対して周方向に相対変位する。
【００２７】
他方、係止部１５は、交換レンズＬの外周面Ｌｆに設けた四つの係止爪片部１５ｓ…を有する。この場合、図１及び図２に示すように、交換レンズＬの外周面Ｌｆには、矩形状のフランジ部２６を一体に設け、このフランジ部２６に対して後方へ所定幅だけ離間した位置、即ち、固定リング部１４の厚さ寸法よりもやや広い幅寸法だけ離間した位置に係止爪片部１５ｓ…を配設する。また、各係止爪片部１５ｓ…の形状及び周方向位置は、交換レンズＬをマウント部１１に挿入した際に、上述した固定側切欠部１４ｃ…を通して可動側切欠部１３ｃ…に係合（嵌合）可能な形状及び周方向位置を選定するとともに、各係止爪片部１５ｓ…の厚さは、回動リング部１３の厚さにほぼ一致させる。
【００２８】
このように、着脱機構２を、マウント部１１及び係止部１５により構成し、マウント部１１に、交換レンズＬが挿入する内側挿入口１２ｉを有するベース部１２と、交換レンズＬが挿入する外側挿入口１４ｉを有し、かつ当該外側挿入口１４ｉの周縁部に複数の固定側切欠部１４ｃ…を所定間隔で設けた固定リング部１４と、交換レンズＬが挿入する中側挿入口１３ｉを有し、かつベース部１２と固定リング部１４間に設けた所定の隙間Ｓに回動可能に収容するとともに、中側挿入口１３ｉの周縁部であって固定側切欠部１４ｃ…に対応する位置に複数の可動側切欠部１３ｃ…を設けた回動リング部１３とを設け、他方、係止部１５を、交換レンズＬの外周面Ｌｆに設けることにより、交換レンズＬをマウント部１１側に挿入した際に、固定側切欠部１４ｃ…を通して可動側切欠部１３ｃ…に係合可能な複数の係止爪片部１５ｓ…により構成すれば、本発明に係る交換レンズ着脱装置１をより望ましい形態により実施できる。
【００２９】
次に、着脱機構２に付設する着脱支援機構３とロック機構５について説明する。まず、着脱支援機構３は、第一操作部４の操作により光学機器本体Ｐに挿入した挿入位置Ｘｉの交換レンズＬを所定の装着位置Ｘｓまで回動変位させ、かつ装着位置Ｘｓの交換レンズＬを挿入位置Ｘｉまで回動変位させる機能を備える。第一操作部４は、回動リング部１３に一体に設けた操作レバー部４ｍにより構成する。例示の操作レバー部４ｍは、図８に示すように、回動リング部１３から上方に突出させ、ベース部１２の形状に沿わせてクランク状に折曲させるとともに、先端部（上端部）には、操作時の滑りを防止するゴム製のカバー４ｍｒを装着する。操作レバー部４ｍは、操作性などを考慮して、その長さや形状（折曲位置等）を任意に選定できる。このような操作レバー部４ｍを設ければ、実施の容易化及び機械的強度の向上、更には着脱操作性を確保する観点からより大きなパフォーマンスを得ることができる。
【００３０】
さらに、第一操作部４には、操作レバー部４ｍの操作範囲を、固定側切欠部１４ｃ…と可動側切欠部１３ｃ…の位置を一致させる挿入位置Ｘｉと、装着位置Ｘｓでは固定側切欠部１４ｃ…と可動側切欠部１３ｃ…の位置を不一致にさせる装着位置Ｘｓ間に規制する操作範囲規制部１６を設ける。この場合、操作レバー部４ｍに、当該操作レバー部４ｍの突出方向に沿った係合溝３１を設けるとともに、ベース部１２の上部中央位置には横方向の規制溝３２を形成する。この規制溝３２と係合溝３１には、後述するカラー部材３３が双方に跨がって係合する。これにより、操作レバー部３ｃの操作範囲は、規制溝３２により規制される。このような操作範囲規制部１６を設ければ、操作レバー部４ｍを用いた際における更なる着脱操作性の向上及び操作の確実性向上に寄与できる。
【００３１】
一方、ロック機構５は、交換レンズＬを装着位置Ｘｓまで回動変位させた際に装着位置Ｘｓに自動でロックし、かつ第二操作部６の押し操作によりロックを解除する機能を備える。この場合、ロック機構５は、ベース部１２側に設けた係止凹部１７を備えるとともに、回動リング部１３側に設け、かつ付勢部材１８により付勢された係止凸部１９を備え、係止凹部１７と係止凸部１９は、装着位置Ｘｓで係止可能となる。係止凹部１７は、図７〜図１０に示すように、ベース部１２の後面１２ｒであって、規制溝３２の回りに、段差面によるガイド面部３４を薄肉形成するとともに、このガイド面部３４における一端側に、当該ガイド面部３４に対して段差面となる係止凹部１７を薄肉形成する。また、係止凸部１９は、図１０に示すように、ピン部材３５に一体形成した偏平な頭部３５ｈを用いる。この場合、ピン部材３５を、ベース部１２の後面１２ｒ側から規制溝３２、更には係合溝３１に挿通させ、頭部３５ｈをガイド面部３４に当接させる。これにより、頭部３５ｈはガイド面部３４に沿ってガイドされ、ガイド面部３４の一端側に設けた係止凹部１７に嵌合して係止する係止凸部１９として機能する。なお、頭部３５ｈは、Ｄカットされた回り止め機能を有する。さらに、ピン部材３５に対しては、回動リング部１３の前面側から鍔部３３ｈを一体に有するカラー部材３３を嵌め入れ、カラー部材３３の外周面を係合溝３１及び規制溝３２の双方に係合させるとともに、鍔部３３ｈを操作レバー部４ｍの前面に当接させる。
【００３２】
そして、ピン部材３５には、付勢部材１８となるコイルスプリング１８ｓを装填するとともに、ピン部材３５の先端側に、筒状のキャップ部材を用いた操作ボタン部６ｐを固定ネジ３６により固定する。このように、組立は容易に行うことができる。なお、操作ボタン部６ｐは第二操作部６を構成する。これにより、操作レバー部４ｍを操作し、交換レンズＬを装着位置Ｘｓまで回動変位させた際には、装着位置Ｘｓに自動でロックされる。また、操作ボタン部６ｐを押し操作すれば、一体のピン部材３５も押されるため、係止凸部１９は係止凹部１７から離間し、係止凸部１９と係止凹部１７の係止が解除される。即ち、交換レンズＬの装着位置Ｘｓに対するロックを容易に解除できる。
【００３３】
このように、ロック機構５を、係止凹部１７，コイルスプリング１８ｓ及び係止凸部１９を用いて構成すれば、構成の単純化及び小型化を図れるとともに、機械的強度を確保する観点からより大きなパフォーマンスを得ることができる。また、操作ボタン部６ｐ（第二操作部６）は、操作レバー部４ｍ（第一操作部４）に近接した位置Ｘｐに配されるため、片手により操作レバー部４ｍと操作ボタン部６ｐを同時操作可能となる。即ち、片手によるワンタッチ操作が可能となり、着脱操作の更なる容易性向上に寄与できる。
【００３４】
次に、本実施形態に係る交換レンズ着脱装置１を用いた交換レンズＬの着脱方法について、図１〜図１０を参照して説明する。
【００３５】
まず、交換レンズＬをプロジェクタ本体Ｐｏに装着する場合について説明する。装着する際には、操作レバー部４ｍを挿入位置Ｘｉに変位させる。この状態を、図５，図７及び図８に示す。挿入位置Ｘｉでは、カラー部材３３ｓと操作ボタン部６ｐ間に介在するコイルスプリング１８ｓが圧縮状態にあるため、係止凸部１９（頭部３５ｈ）は、ガイド面部３４に圧接している。また、挿入位置Ｘｉでは、ベース側切欠部１２ｃ…，固定側切欠部１４ｃ…及び可動側切欠部１３ｃ…の周方向位置が一致する。したがって、挿入位置Ｘｉでは、図１及び図２に示すように、交換レンズＬを、鏡筒の後端側からマウント部１１における外側挿入口１４ｉ，中側挿入口１３ｉ，内側挿入口１２ｉの順に挿入でき、挿入端では、交換レンズＬのフランジ部２６が固定リング部１４に当接する。この際、フランジ部２６と各係止爪片部１５ｓ…の間隔は、固定リング部１４の厚さ寸法よりもやや広い幅寸法に設定するとともに、各係止爪片部１５ｓ…の厚さは、回動リング部１３の厚さにほぼ一致するように設定するため、交換レンズＬの各係止爪片部１５ｓ…は、固定側切欠部１４ｃ…を通して可動側切欠部１３ｃ…に係合（嵌合）する。即ち、この段階では、交換レンズＬを一方の手に持ち、そのままプロジェクタ本体Ｐｏ側に挿入すればよい。
【００３６】
次いで、他方の手で操作レバー部４ｍを回動操作し、操作レバー部４ｍを装着位置Ｘｓに変位させる。この状態を、図６，図９及び図１０に示す。操作レバー部４ｍを挿入位置Ｘｉから装着位置Ｘｓに回動操作すれば、係止凸部１９（頭部３５ｈ）は、ガイド面部３４に圧接した状態でスライド変位し、装着位置Ｘｓまで変位すれば、コイルスプリング１８ｓの付勢により係止凸部１９が係止凹部１７に嵌合して係止する。また、この際、回動リング部１３も一緒に回動変位するとともに、可動側切欠部１３ｃ…に係止爪片部１５ｓ…が係合する交換レンズＬも一緒に回動変位する。そして、装着位置Ｘｓでは、図６に示すように、固定側切欠部１４ｃ…と可動側切欠部１３ｃ…の位置が不一致になり、交換レンズＬは装着位置Ｘｓに装着されるとともに、装着位置Ｘｓに自動でロックされる。
【００３７】
次に、交換レンズＬをプロジェクタ本体Ｐｏから離脱する場合について説明する。離脱する際には、交換レンズＬを一方の手で持ち、他方の手で操作ボタン部６ｐを押し操作しつつ操作レバー部４ｍを回動操作し、装着位置Ｘｓから挿入位置Ｘｉまで変位させる。この際、操作ボタン部６ｐを押し操作することにより、一体のピン部材３５も押されるため、係止凸部１９は係止凹部１７から離間し、係止凸部１９と係止凹部１７の係止（ロック）が解除される。したがって、交換レンズＬ及び操作レバー部４ｍは、挿入位置Ｘｉに変位するため、図５，図７及び図８に示す状態となり、交換レンズＬをそのままプロジェクタ本体Ｐｏから引き抜くことができる。なお、操作ボタン部６ｐを押し操作した場合、その押し変位量は、カラー部材３３と操作ボタン部６ｐ間の隙間により規制される。したがって、当該押し変位量は、係止凹部１７に対して係止凸部１９の係止（ロック）を解除できる必要最小量に設定することができ、これにより、ピン部材３５に対する回り止め機能を維持することができる。
【００３８】
よって、このような本実施形態に係る交換レンズ着脱装置１によれば、第一操作部４の操作により交換レンズＬを装着位置Ｘｓ又は挿入位置Ｘｉに回動変位させる着脱支援機構３と、交換レンズＬを装着位置Ｘｓまで回動変位させた際に装着位置Ｘｓに自動でロックし、かつ第二操作部６の押し操作によりロックを解除するロック機構５とを備えるため、ロック機構５を含む交換レンズ着脱装置１の全体の構成簡易化に寄与できる。したがって、占有スペースの縮小による構成の小型化及び単純化、更には部品点数の削減や製造工数の低減によるコストダウンに貢献できるとともに、交換レンズＬを着脱する際における容易かつ良好な着脱操作性を確保できる。また、ロック機構５を含む交換レンズ着脱装置１全体の構成簡易化を図れるため、大型の光学機器に重い交換レンズＬを着脱する場合であっても、ロック機構５を含む交換レンズ着脱装置１の剛性や機械的強度を高めることができ、交換レンズＬに対する高い支持強度を確保できる。したがって、耐久性の向上、更には故障等のトラブル低減による信頼性向上に寄与できる。特に、光学機器本体Ｐとして、プロジェクタ本体Ｐｏを適用すれば、特定の設置場所にセッティングされた大型のプロジェクタに使用する大型の交換レンズＬの着脱操作性及び操作の確実性をより向上させることができる。
【００３９】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。例えば、ベース側切欠部１２ｃ…は、交換レンズＬの形態によっては必ずしも設けることを要しない。また、内側挿入口１２ｉは、交換レンズＬの形態によっては鏡筒が挿入する必要はなく、投射光が通過すればよい。なお、光学機器本体Ｐには、プロジェクタ本体Ｐｏを適用することが望ましいが、プロジェクタ本体Ｐｏ以外も映写機や業務用ビデオカメラ等の各種光学機器本体Ｐに適用（利用）できる。
【図面の簡単な説明】
【００４０】
【図１】本発明の最良の実施形態に係る交換レンズ着脱装置の一部断面を含む側面構成図、
【図２】同交換レンズ着脱装置の概要を示す外観斜視図、
【図３】同交換レンズ着脱装置における着脱支援機構とロック機構の斜め正面（前面）から見た斜視図、
【図４】同交換レンズ着脱装置における着脱支援機構とロック機構の斜め背面（後面）から見た斜視図、
【図５】同交換レンズ着脱装置の挿入位置における着脱機構，着脱支援機構及びロック機構の正面図、
【図６】同交換レンズ着脱装置の装着位置における着脱機構，着脱支援機構及びロック機構の正面図、
【図７】同交換レンズ着脱装置の挿入位置における着脱支援機構及びロック機構の背面（後面）図、
【図８】同交換レンズ着脱装置の挿入位置における着脱支援機構及びロック機構の一部断面側面図、
【図９】同交換レンズ着脱装置の装着位置における着脱支援機構及びロック機構の背面（後面）図、
【図１０】同交換レンズ着脱装置の装着位置における着脱支援機構及びロック機構の一部断面側面図、
【符号の説明】
【００４１】
１：交換レンズ着脱装置，２：着脱機構，３：着脱支援機構，４：第一操作部，４ｍ：操作レバー部，５：ロック機構，６：第二操作部，６ｐ：操作ボタン部，１１：マウント部，１２：ベース部，１２ｉ：内側挿入口，１３：回動リング部，１３ｉ：中側挿入口，１３ｃ…：可動側切欠部，１４：固定リング部，１４ｉ：外側挿入口，１４ｃ…：固定側切欠部，１５：係止部，１５ｓ…：係止爪片部，１６：操作範囲規制部，１７：係止凹部，１８：付勢部材，１９：係止凸部，Ｐ：光学機器本体，Ｐｏ：プロジェクタ本体，Ｌ：交換レンズ，Ｓ：所定の隙間，Ｌｆ：交換レンズの外周面，Ｘｉ：挿入位置，Ｘｓ：装着位置，Ｘｐ：同時操作可能な位置
【図１】
2010078776.tif 000003
【図２】
2010078776.tif 000004
【図３】
2010078776.tif 000005
【図４】
2010078776.tif 000006
【図５】
2010078776.tif 000007
【図６】
2010078776.tif 000008
【図７】
2010078776.tif 000009
【図８】
2010078776.tif 000010
【図９】
2010078776.tif 000011
【図１０】
2010078776.tif 000012